(57)【特許請求の範囲】
【請求項１】
既存の電話網にユーザ端末としての複数のコンピュータを接続し、そのコンピュータ中にＨＴＭＬで記述されたホームページを有するコンピュータ通信網において、
前記ホームページに接続するための当該電話網で定義される電話番号と、当該ホームページが入力されたユーザ端末に特有であり且つ一般に公開されるアドレス名称との変換テーブルを有するアドレスサーバを備え、
前記ユーザ端末は、前記アドレスサーバに対して前記アドレス名称を鍵とする問い合わせ信号を送付する機能を有し、前記アドレスサーバは、前記ユーザ端末から受けた問い合わせ信号の中のアドレス名称に対応する電話番号を回答する機能を有し、
前記ユーザ端末は、さらに、前記アドレスサーバから回答された電話番号に基づき当該電話網を介して前記ホームページのコンピュータとの回線を設定し該ホームページに接続する機能を有することを特徴とするコンピュータ通信網。
【請求項２】
前記ユーザ端末が前記ホームページへ接続するための回線設定はコネクション型或いはコネクションレス型によるパケット通信型であることを特徴とする請求項１に記載のコンピュータ通信網。
【請求項３】
既存の電話網にユーザ端末としての複数のコンピュータを接続し、そのコンピュータ中にＨＴＭＬで記述されたホームページを有するコンピュータ通信網におけるコンピュータ通信方法であって、
前記ユーザ端末は、前記ホームページに接続するための当該電話網で定義される電話番号と、当該ホームページが入力されたユーザ端末に特有であり且つ一般に公開されるアドレス名称とを対応付けるテーブルを有するアドレスサーバに対して、前記アドレス名称を鍵とする問い合わせ信号を送付し、
前記アドレスサーバは、前記ユーザ端末から受けた問い合わせ信号の中のアドレス名称に対応する電話番号を回答し、
前記ユーザ端末は、前記アドレスサーバから回答された電話番号に基づき当該電話網を介して前記ホームページのコンピュータとの回線を設定し該ホームページに接続することを特徴とするコンピュータ通信方法。
【請求項４】
前記ユーザ端末が前記ホームページへ接続するための回線設定は、コネクション型或いはコネクションレス型によるパケット通信型であることを特徴とする請求項３記載のコンピュータ通信方法。
【請求項５】
既存の電話網にユーザ端末として接続され且つＨＴＭＬで記述されたホームページを有するコンピュータであって、
前記ホームページに接続するための当該電話網で定義される電話番号と、当該ホームページが入力されたユーザ端末に特有であり且つ一般に公開されるアドレス名称との変換テーブルを有するアドレスサーバに対して、前記アドレス名称を鍵とする問い合わせ信号を送付する機能と、
前記アドレスサーバから回答された電話番号に基づき当該電話網を介して前記ホームページのコンピュータとの回線を設定し該ホームページに接続する機能とを有することを特徴とするコンピュータ。
【請求項６】
前記ホームページへの接続のための回線設定をコネクション型或いはコネクションレス型によるパケット通信型で行うことを特徴とする請求項５記載のコンピュータ。
【発明の詳細な説明】
【０００１】
【発明の属する技術分野】
本発明は、電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）等の通信網を用いるコンピュータ通信方法、コンピュータ通信網及びコンピュータ通信システムに関する。
【０００２】
【従来の技術】
従来、コンピュータ通信は、我が国においてはパソコン通信網として発達してきた。その方法は、加入者が自宅に設置したパソコンから、パソコンシステム事業者（プロバイダ）が提供する接続点に電話網を通じて接続し、サービスを受けるという形を取っていた。その通信網構成を図２に示す。
【０００３】
図２において、１はユーザ、２は電話網等の通信網、２１はユーザと通信網の接続点であり、電話網においては加入者交換機である。また、５はパソコン通信業者が提供するサーバであり、２２はサーバ５と電話網２の接続点である。ユーザは電話網２を通じてサーバ５に接続し、パソコン通信サービスを受ける。ここで、電話網としては、データ通信用の専用線を用いて、加入者交換機２１を介してサーバ５との接続点２２に呼着信をかけ、サーバ４の応答によってコネクションが可能か否かを確認してから通信が可能となる。この場合、まず、ユーザ１からモデムを介してサーバ５への電話番号を指定して、例えばＴＣＰ／ＩＰのプロトコルを用いて、サーバ５と通路路を確保してコネクション型通信とし、その後データの相互通信を行っていた。このコネクション型通信の場合は、ユーザ２〜４においても、サーバ５の電話番号に呼発信をかけて、コネクション型通信を開始する。
【０００４】
他方、米国におけるコンピュータ通信は、インターネットとして発達してきた。インターネットは電話網とは独立の通信網を構成し、基本的にデータグラムと称するパケット形式で通信を行うところに特徴がある。端的には、信号の宛先への配送は、パケット毎にルータにおいて行われる。ルータ同士の接続網がインターネットのバックボーン通信網を形成し、信号は幾つものルータを経由して、目的の通信網に到達する。目的の通信網に至れば、そこのルータが制御する局地通信網ローカルエリアネットワーク（ＬＡＮ）を通じて、目的の端末（ホストと呼ばれる）にパケットが届けられる。このパケット通信では、パケットにその情報と共にヘッダの中にアドレスが入っているので、情報を送る前に相手との間に回線を確保しておく必要がなく、いきなり情報を送ることができ、この方法をコネクションレス型通信といい、事前にダイヤルして回線をつなぐ手間がいらないので、交換機も必要がなく、対して回線が空いているかどうか、混んでいないかどうか不明のままで、確実に相手に届くという保証もないまま送信する。その基本的な網構成を図３に示す。
【０００５】
図３において、５１〜５４はルータであり、ルータＡ〜Ｄ（５１〜５４）が相互に接続して、バックボーン通信網６を形成する。各ルータＡ〜Ｄはそれ自身一つの局地通信網、いわゆるローカルエリアネットワーク（ＬＡＮ）を構成している。ルータＡ５１はＬＡＮ６１を構成して、ユーザＡ１〜Ａ３が接続されており、ルータＢ５２はＬＡＮ６２を構成してユーザＢ１〜Ｂ３が接続されており、ルータＣ５３はＷＡＮ又はＬＡＮ６３を構成してユーザＣ１〜Ｃ３が接続されており、ルータＤ５２はＬＡＮ６４を構成してユーザＤ１〜Ｄ３が接続されている。通常ＬＡＮに接続するユーザ端末は、ホストと呼ばれる。各ＬＡＮ内のユーザ間の通信は内部で処理され、相手の端末番号に呼をかけてコネクションを形成して後にデータ通信を行う。外部のホストに接続する必要が生ずると、ルータ間のパケット通信により接続が行われる。ルータは異なる通信網の接続を行う事により、全体として一つの全世界的通信網（ＷＷＷ）を構成できるのである。
【０００６】
ルータは電話網とは独立の通信網を構成し、ＩＰアドレスと呼ばれる４バイト（３２ビット）或いはＩＰｖ６による１６バイト（１２８ビット）の宛先で指定される通信網へ、パケットの転送を行う。そのために自アドレスから宛先アドレスまでのルーティングをとるためのルーティング表が必要であり、常時近隣のルータと通信して、表の更新を行う。他方ユーザは宛先として、ＩＰアドレスを直接扱うことは不便なので、ドメインネームシステム（ＤＮＳ）という分かり易い名称を使用する。従ってＤＮＳ名称とＩＰアドレスの変換が必要となるが、そのために各通信網にはＤＮＳサーバ（５５で示す）が設けられている。このＤＮＳサーバは各ルータが有している。初めての宛先に接続する場合には、ユーザ端末のホストＰＣはユーザが入力した宛先アドレスをＤＮＳサーバ５５に問い合わせて、宛先アドレスは予めインターネット用アドレスとして登録されておりＤＮＳサーバ５５に登録されているので、そのＩＰアドレスを得、それを用いてルータが宛先ネットワークにパケットを送出し、通信サービスを提供する。
【０００７】
【発明が解決しようとする課題】
上の説明から分かるように、インターネットの第１の問題点は、回線の利用効率が低く、複雑な処理を必要とすることである。その理由は上述のようにルータは、宛先アドレスに向けての隣接した中継ルータのアドレスを問い合わせる必要があるので、ルーティング表を更新するために、相互に常時経路情報を交換する必要があることに加えて、インターネットがパケット毎に独立に宛先配送（ルーティング）を行うため、通信経路が一定せず、途中で失われたり、パケットの順序が狂って到着することがあり、そのために信頼性の高い通信を行うためには、ＴＣＰと呼ばれる信号処理が必要になることである。信号が失われる可能性に加えて、信号の衝突が起こるパケット通信の本質から、回線の利用効率を上げる事は困難である。
【０００８】
他方、第２の問題点として、従来のパソコン通信の問題点は、情報の範囲が限られることである。その理由は、パソコン通信は特定の事業者が提供するサービスであり、本質的に閉鎖的なシステムである事である。
【０００９】
第３の問題点は、従来のコンピュータ通信網は、加入者の情報の安全性に問題がある事である。その理由はインターネットにしろ、パソコン通信にしろ、加入者の情報は事業者の提供するデータベースに蓄積されるのであり、一旦そこに送ったデータは、加入者の管理の及ばない所に置かれるのである。また事業者には顧客のデータを預かるのでその安全性については重い責任が生じるのである。
【００１０】
第四の問題点として、インターネットにおいては、すでにアドレスの不足が問題になってきている。その理由はインターネットアドレスが階層構造を持たない水平構成になっていることである。これは開放系として発達してきたインターネットの利点であると同時に、宛先配送動作が面倒で、ルータの動作を複雑なものにしているのでる。ルータは隣接のルータと常時接続情報を交換して、ルーティングテーブル、即ち宛先配送表を更新するのである。従って、顧客の伝送情報が無い状態でも、ルータ間では接続情報を交換する必要があり、費用もかかるのである。
【００１１】
［発明の目的］
本発明は、以上述べた従来法の欠点を克服し、回線の使用効率が高く、安価、安全で、かつ開放的なコンピュータシステムを実現することを目的とする。
【００１２】
【課題を解決するための手段】
本発明は、上記目的を達成するために、既存の電話網にユーザ端末としての複数のコンピュータを接続し、そのコンピュータ中にＨＴＭＬで記述されたホームページを有するコンピュータ通信網において、前記ホームページに接続するための当該電話網で定義される電話番号と、当該ホームページが入力されたユーザ端末に特有であり且つ一般に公開されるアドレス名称との変換テーブルを有するアドレスサーバを備え、前記ユーザ端末は、前記アドレスサーバに対して前記アドレス名称を鍵とする問い合わせ信号を送付する機能を有し、前記アドレスサーバは、前記ユーザ端末から受けた問い合わせ信号の中のアドレス名称に対応する電話番号を回答する機能を有し、前記ユーザ端末は、さらに、前記アドレスサーバから回答された電話番号に基づき当該電話網を介して前記ホームページのコンピュータとの回線を設定し該ホームページに接続する機能を有することを特徴とする。
【００１３】
また、本発明は、既存の電話網にユーザ端末としての複数のコンピュータを接続し、そのコンピュータ中にＨＴＭＬで記述されたホームページを有するコンピュータ通信網におけるコンピュータ通信方法であって、前記ユーザ端末は、前記ホームページに接続するための当該電話網で定義される電話番号と、当該ホームページが入力されたユーザ端末に特有であり且つ一般に公開されるアドレス名称とを対応付けるテーブルを有するアドレスサーバに対して、前記アドレス名称を鍵とする問い合わせ信号を送付し、前記アドレスサーバは、前記ユーザ端末から受けた問い合わせ信号の中のアドレス名称に対応する電話番号を回答し、前記ユーザ端末は、前記アドレスサーバから回答された電話番号に基づき当該電話網を介して前記ホームページのコンピュータとの回線を設定し該ホームページに接続することを特徴とする。
【００１４】
また、本発明の本質的な構成要素を以下に概説すると、（１）加入者はホームページをホーム即ち自宅に設置したコンピュータに用意し、（２）加入者のホームページのアドレスはその接続通信網、例えば電話番号やＩＳＤＮ番号で指定され、接続通信網の事業者は加入者に対してそのアドレスを広く世界に知らせるためのデータベース、即ちアドレスサーバを提供し、具体的にはインターネットのＤＮＳサーバにあたるデータベースを提供することで、ドメインネームと同様に親しみやすいアドレス名称によって、宛先のホームページを探索でき、データの入手を可能とする。
【００１５】
さらに、本発明を要約すれば、電話網等の通信網における加入者端末にコンピュータを設置して、その中にホームページを開いて、情報を置くコンピュータ通信網において、上記ホームページのアドレス番号は、電話網等の通信網で定義されるアドレス番号で指定され、上記アドレス番号によってユーザ端末は通信網を通じて直接に相互接続して通信するコンピュータ通信網であることを特徴とする。
【００１６】
また、ユーザの利便性ために上記ホームページはインターネットと同様のドメインネームシステムを使用して、分かり易い名称で一般に公開され、ユーザはインターネットを使うと同様に、ＷＷＷ等を使用して、必要とするホームページのアドレス名称を得、上記アドレス名称によって宛先のホームページへの接続をコンピュータに指示するシステムであることを特徴とする。
【００１７】
また、本発明のコンピュータ通信網は、上記アドレス名称からアドレス番号への変換サービスを行うアドレスサーバを備えたことを特徴とする。
【００１８】
［作用］
本発明のシステムの動作を以下に説明する。
【００１９】
今、通常の電話あるいはＩＳＤＮ網に加入している極く普通の加入者Ａがホームページを設定してコンピュータ通信を開始する場合について説明する。
【００２０】
まず、（１）加入者Ａは、自宅にコンピュータを設置し、その中にＨＴＭＬ等で書いたホームページＡを入力する。次に（２）加入者Ａは通信事業者に自己のアドレスを申請する。即ち自己のホームページの特長をうまく表現する名称と共に自己の通信網アドレス、例えば電話番号を合わせて申し込む。次に（３）通信事業者は申し込まれた名称が登録商標や世界的に他の名称とぶつからないかインターネットＤＮＳ管理者等と調整した上で、その名称を決定し、加入者Ａに通知すると共に、アドレスサーバに入力する。アドレスサーバの機能は問い合わせられた名称に対して、そのアドレス、即ち電話もしくはＩＳＤＮ番号を返す機能を有し、インターネットのＤＮＳサーバと基本的には同様の動作を行うものであり、既存のインターネットＤＮＳサーバの機能に追加するのは極めて容易である。
【００２１】
さらに、（４）一般のインターネット使用者Ｘが、ホームページＡに接続するときの動作を以下に説明する。インターネット使用者Ｘは分野や地域等のキーワードを用いて、ブラウザプロクグラム等を用いて、ホームページＡのアドレス名称を得たとする。その名称を用いて、インターネット使用者Ｘは自己のコンピュータからホームページＡへの接続を指示する。
【００２２】
つぎに、（５）コンピュータＸからホームページＡのアドレス名称に対してアドレスサーバにアドレス問い合わせ信号が送出される。これに対してアドレスサーバはホームページＡのアドレス番号を返す。続いて、（６）コンピュータＸは返されたアドレス番号に基づきコンピュータＡとの回線を設定し、その回線を介して通信を行う。通信を終わると回線を切断する。つぎに、（７）コンピュータＸはホームページＡのアドレス名称と番号を記憶して、次回からはアドレスサーバへの問い合わせを省略して、直接インターネット使用者ＸはホームページＡのアドレス名称を送出することにより迅速な回線接続を行う。
【００２３】
その場合、（８）用いる通信回線は、電話網だけとは限らない。パケット通信網を用いる場合には上の回線設定、切断動作は不要であり、ホームページの設置場所の違いを除けばインターネットと同様の通信が可能となる。このホームページＡへの接続はコネクション型通信であり、既存の電話網を活用すると共に、当該電話網の交換機能の信頼性、及びそのセキュリティの高さ、等について、インターネット通信網の不安定性、データ送信の信頼性、秘密性について、大きな優位点を備えている。
【００２４】
【発明の実施の形態】
本発明の実施形態について、図面を参照しつつ詳細に説明する。
（１）構成の説明
図１を参照すると、本発明の実施の形態は、従来の公衆通信網（Ｐｕｂｌｉｃ  Ｓｗｉｔｃｈｅｄ  Ｔｅｌｅｐｈｏｎｅ  Ｎｅｔｗｏｒｋ，  ＰＳＴＮ）をそのまま用いて、極めて簡易な構成の通信網であることが分かる。公衆通信網ＰＳＴＮには、加入者回線やアクセス回線、交換機と交換機の間を結ぶ中継回線等を含む公衆電話回線網ばかりでなく、ＩＳＤＮ回線網を含むものである。さらに、近年の携帯電話やＰＨＳを用いた移動無線ネットワークにおいても、本発明を実施できる。その場合には、無線基地局は携帯電話等からの、或いは携帯電話への無線回線を形成し、基地局から他の無線基地局に接続された携帯電話を呼び出して、相互の通信を可能とする。
【００２５】
図１において、１１〜１４はユーザ端末であり、２０は通信網、１５はアドレスサーバである。２１は通信網２０と加入者のユーザ端末１１〜１４の接続点であり、電話網の場合には加入者交換機が相当する。２２はアドレスサーバ１５と通信網２０の接続点であり、加入者のアドレスを登録すると共に、加入者のユーザ端末の特有のアドレス名称と、加入者のアドレス番号とを変換する機能を有している。
【００２６】
ここで、ユーザ端末１１〜１４はコンピュータとその周辺装置を備え、コンピュータには通信回線用のモデムを内蔵し、ＴＣＰ／ＩＰのプロトコル用プログラムやコンピュータのオペレーションシステム（ＯＳ）、アプリケーション・プログラム等を格納するハードディスク、ＣＤ−ＲＯＭドライブ、ＭＯドライブ等の記憶装置を備えている。また、通信網２０は既存のツイストペア線を用いた公衆電話回線やＩＳＤＮ回線等の通信網である。また、加入者交換機２１は、複数のユーザ端末からの宛先電話番号を指定されたならば、その宛先電話番号に向けてコネクション型或いはコネクションレス型であっても、その回線の信頼性及び第３者によるその回線への介入を防止できるならば、後者であってもよいが、好ましくは、既存のインフラストラクチャを活用できるコネクション型が推奨できる。また、アドレスサーバ１５は通信網を電話番号とすると、例えばホームページを備えたコンピュータが通称アドレス名称を有して、誰でも、いつでも、どこからでも探索できるならば、その通称アドレス番号又は通称アドレス符号とその電話番号との変換テーブルを有しておればよい。ただし、ホームページを開設する場合には、予めその電話番号と通称アドレス名称又は通称アドレス符号とを登録しておく。
【００２７】
（２）動作の説明
以下、図１に示すネットワークの動作について説明する。図１において、ユーザ１１とユーザ１３は、既に接続してコンピュータ通信を行っているとする。ユーザ１４はこれから初めて接続する宛先のアドレス名称を指示して、コンピュータ１４（ユーザとその使用するコンピュータは対なので同一視する）に、通信の開始を指示する。コンピュータ１４はアドレスサーバ１５にアドレス名称を問い合わせ、アドレスサーバは対応するアドレス番号を返す。
【００２８】
図１に点線で示す様に、この段階の通信は、回線接続方式である必要はなく、パケット通信、例えばインターネット等を用いるのが便利である。アドレス番号を得ると、後は通常の回線接続動作により宛先のコンピュータに接続し、通信を行う。
【００２９】
さらに、具体的に説明すれば、例えば、予めユーザ１１乃至１４はアドレスサーバ１５にそれぞれ電話番号１１乃至１４を登録しておく。或いは、電話番号１１乃至１４に対応してそれぞれ接続点２２を介してアドレス名称１１乃至１４を登録しておく。
【００３０】
まず、ユーザ１１からユーザ１４にデータを送出する場合に、ユーザ１１はフックアップして発呼信号を送出し、その応答の発信音により加入者交換機２１から応答され、ユーザ１１はダイヤル番号として宛先の電話番号１４をダイヤルし、或いは宛先のアドレス名称１４をアドレスサーバ１５に問合せ、そのアドレス名称１４に相当する電話番号１４を通知され、電話番号１４にダイヤルする。
【００３１】
加入者交換機２１はダイヤル先に対応した選択信号を電話番号１４に送出する。ユーザ１４が話し中の場合には、話中音がユーザ１１のユーザ端末１１に送出され、データ伝送の失敗を通知される。ユーザ１４が、話し中でなく、フックアップした場合には、即座にユーザ端末１１からユーザ端末１４にデータを送信する。その際、その応答信号として、ユーザ端末１４からユーザ端末１１にデータ信号を送出する場合には、同時であっても、一方のデータ伝送が終了した後であっても、パケット化することなく、データ伝送の信頼性をアップするために、データ誤り訂正符号を付加して、そのデータ信号を送出する。この応答の場合、公衆回線網の交換機の機能により、双方向性は保証されており、チャットメールの場合には特に好都合である。現在のインターネットでは、応答のためのデータ伝送には、同一回線を遡って伝送されるわけではなく、パケットに付加したヘッダの宛先アドレスを指標として、別回線を取る場合があるのとは、大きな相違点である。
【００３２】
つぎに、データ伝送を終了する場合には、オンフックすればよく、加入者交換機２１ではそのオンフックによって通信回線を断とする。
【００３３】
なお、上述の説明より分かるように、本発明のシステムにより、Ｅ−ｍａｉｌやＦｉｌｅ転送は、同様に行われる事は明らかであるが、その他の電子会議等の機能もまた同様に提供できる。その方法は、あるホームページがホストになって、会員はそのホームページが提供する掲示板等のサービスを利用すればよいのである。
【００３４】
また、上記実施形態では、アドレスサーバ１５はユーザ端末１１からの問合せに応答する例を説明したが、ユーザ端末１１から宛先のアドレス名称を出力することにより、加入者交換機２１はそのアドレス名称をアドレスサーバ１５に問合せ、アドレスサーバ１５からのアドレス名称に相当する宛先の電話番号を獲得することとしてもよい。この電話番号を獲得後、加入者交換機２１は、公衆電話回線網の宛先の加入者交換機２１に宛先電話番号先を求めて、発呼信号を中継しつつ、宛先の電話番号を有する例えば宛先ユーザ端末１４に着呼をかける。宛先ユーザ端末１４のコンピュータから応答信号が発せられたら、複数の加入者交換機を介してユーザ端末１１に応答信号が届き、これで通話回線がリンクをはった状態として確立する。その後、ユーザ端末１１は宛先ユーザ端末１４にデータを送信し、宛先ユーザ端末１４がホームページを有しているならば、そのホームページの情報をユーザ端末１１は入手することができる。その後、ユーザ端末１１はオンフック機能により通話回線を断とすると、それぞれの加入者交換機２１は確認信号及び切断信号を発生してその回線を切断する。
【００３５】
電話回線網では、近年には公衆電話回線網の整備が進み、ＦＴＴＨ（Ｆｉｂｅｒ  Ｔｏ  Ｔｈｅ  Ｈｏｍｅ）や、ＦＴＴＣ（Ｆｉｂｅｒ  Ｔｏ  Ｔｈｅ  Ｃｕｒｂ）、ＦＴＴｃａｂ（Ｆｉｂｅｒ  Ｔｏ  Ｔｈｅ  Ｃａｂｉｎｅｔ）等と光通信回線のインフラストラクチャーが整備され、その伝送速度の向上、マルチメディア通信の多様化、通信センター（交換機）と伝送路（中継線と加入者線）からなる通信回線の安全性と信頼性の向上等から、かかるインフラストラクチャーを有効にコンピュータ通信に活用できることが望まれている折り、従来のインターネットへの発信の際、宛先ドメインネーム或いは宛先ＩＤに基づいて送出データを送出していたときの確実に宛先に到着するという安心感や信頼感との相違は、インターネットでのＱＯＳというサービス指標でのデータ伝送とは大きな相違点である。
【００３６】
上述したように、本実施形態による既存の電話通信網を形成することにより、既存の電話交換機の安定性、確実性、信頼性、秘密性などの電話回線と同様の優れた設備を利用することにより、電話と同様なデータ通信を可能とすることができる。
【００３７】
また、上記実施形態では、主に有線の公衆電話網について説明したが、コンピュータを固定式ではなく、移動式のパーソナルコンピュータや、ＰＤＡ（Ｐｅｒｓｏｎａｌ  Ｄｉｇｉｔａｌ  Ａｓｓｉｓｔａｎｔｓ）であっても、この電話番号を指標として、回線を接続することが可能であり、本発明を実施できるとともに、移動無線通信システムによっても、携帯電話やＰＤＣ（Ｐｅｒｓｏｎａｌ  Ｄｉｇｉｔａｌ  Ｃｅｌｌｕｌａｒ）に対して移動無線通信用の電話番号で呼び出し可能であり、無線回線を確立して、データの送受信を可能とすることができる。また、アドレス名称と電話番号とを変換するアドレスサーバは、ユーザ端末に備えていてもよく、また、加入者交換機に配置しても良い。また、所定数の加入者交換機を束ねる中継交換機に配置してもよい。
【００３８】
【発明の効果】
本発明によれば、既存の公衆電話網がコンピュータ通信網として、その信頼性と秘密性とインフラストラクチャの有効な活用による方式で、ユーザ同士が直に接続して通信を行うのであり、従来の方インターネット通信方法では必要不可欠であったパソコン通信事業者やインターネットサービスプロバイダ（ＩＳＰ）の提供するシステムが不要となるので、運用にかかる費用を低減でき、極めて簡便な構成により、コンピュータ通信網が実現できる。
【００３９】
また、本発明の方式は、既存の電話網等の通信網をそのまま用いるので、公衆通信網（ＰＳＴＮ）の広汎且つ開放的な性質を、そのまま継承できるので、情報の安全性が高く、極めて広汎かつ開放された情報網が実現できる。
【００４０】
また、提供される情報は、情報提供者の自宅に設置されたコンピュータ内に置かれ、その完全な管理下にあり、且つその情報に接触してくるユーザの身元も通信網によって提供される情報によって、その都度把握できる。また、本発明のシステムは、従来のパソコン通信やインターネットと極く自然に共存できるので、顧客に多様なサービスができ、極めて多種多様なシステムの構成が可能となる。
【図面の簡単な説明】
【図１】本発明のコンピュータ通信網の構成を示す。
【図２】従来のパソコン通信の網構成を示す。
【図３】従来のインターネットの網構成を示す。
【符号の説明】
５  パソコン通信業者の提供するパソコンサーバ
１１〜１４  ユーザ
１５  アドレスサーバ
２０  電話回線
２１  ユーザと通信網２の接続点（加入者交換機）
２２  アドレスサーバ３と通信網２の間の接続点
５１〜５４  ルータ
６１〜６４  各局部通信網の通信基板即ちＬＡＮを示す
【図１】
0003606445.tif 000002
【図２】
0003606445.tif 000003
【図３】
0003606445.tif 000004